(57)【要約】【課題】構造の簡略化により装置の信頼性を高めることができる斜板ポンプ又はモータの軸受規制装置を提供する。【解決手段】回転するピストン１０に当接してピストンを伸縮駆動する斜板８の背面部８ａを半円筒形に形成し、この背面部の後方に相対して同形の凹面部１４ａを備えた支持部材１４を設け、これらの背面部と凹面部との間に支持枠１５を介してローラベアリング１６を挾持する構造の斜板ポンプ又はモータ１において、前記斜板８とローラベアリング１６と支持部材１４とに亙って伸びる保持ロッド１８を設け、該保持ロッドの一端１８ａをロッド軸線と直角方向に折曲して前記斜板の側面に形成した嵌合穴１９に回転自由に嵌合し、保持ロッドの中間部を前記支持枠１５に形成したスリット１７に遊嵌し、保持ロッドの他端１８ａを長手方向に偏平なリング状に屈曲してこのリング状部内にケース４に植設されて前記ロッド軸線と直角方向に突出するピン２０を遊嵌した。【選択図】        図１
2004183621.tif 000002
【特許請求の範囲】
【請求項１】
回転するピストンに当接してピストンを伸縮駆動する斜板の背面部を半円筒形に形成し、この背面部の後方に相対して同形の凹面部を備えた支持部材を設け、これらの背面部と凹面部との間に転がり又はすべり軸受を挾持する構造の斜板ポンプ又はモータにおいて、前記斜板と転がり又はすべり軸受と支持部材とに亙って伸びる保持ロッドを設け、該保持ロッドの一端をロッド軸線と直角方向に折曲して前記斜板の側面に形成した嵌合穴に回転自由に嵌合し、保持ロッドの中間部を前記転がり又はすべり軸受の支持部に形成したスリットに遊嵌し、保持ロッドの他端を長手方向に偏平なリング状に屈曲してこのリング状部内にケース側に植設されて前記ロッド軸線と直角方向に突出するピンを遊嵌したことを特徴とする斜板ポンプ又はモータの軸受規制装置。
【請求項２】
前記スリットの内面は楔状か或いは円弧状に形成され、斜板の傾転角が零ではスリットと保持ロッドの間に所定の隙間を有し、斜板の傾転角の増加に伴い前記隙間が減少するように設定されていることを特徴とする請求項１記載の斜板ポンプ又はモータの軸受規制装置。
【請求項３】
前記リング状部の大きさは、可及的に斜板の傾動方向のガタを少なくして斜板の傾転角が零から最大までピン上を自由に滑動できるように設定されていることを特徴とする請求項１又は２記載の斜板ポンプ又はモータの軸受規制装置。
【発明の詳細な説明】
【０００１】
【発明の属する技術分野】
本発明は、斜板式の回転ピストンポンプやモータに用いられる軸受規制装置に係り、一層詳細には斜板と支持部材との間に介装するローラベアリング等軸受の保持手段に関する。
【０００２】
【従来の技術】
斜板式の回転ピストンポンプやモータに用いられる斜板には、例えば背面部を半円筒形に形成し、後方の支持部材に形成した同形の凹部とこの背面部との間にローラベアリングを介装することで、斜板を半円筒形の周方向に変位可能に支持したものがある。この場合に、ローラベアリングが振動や衝撃によりずれたり、抜け落ちたりしないよう、斜板と支持部材との間に適正に保持する必要があり、このために従来では、例えば図３及び図４に示すような軸受規制装置が提案されている（例えば、特許文献１参照）。
【０００３】
これは、回転するピストン（図示せず）に当接してピストンを伸縮駆動する斜板１００の背面部１００ａを半円筒形に形成し、この背面部１００ａの後方に相対して同形の凹面部１０１ａを備えた支持部材１０１を設け、これらの背面部１００ａと凹面部１０１ａとの間に弧形に湾曲する支持枠１０２に支持されたローラベアリング１０３を挾持する構造の斜板ポンプ又はモータにおいて、斜板１００の回転中心Ｏよりも前方側からローラベアリング１０３の支持枠側に伸びる保持ロッド１０４を設け、保持ロッド１０４の一端１０４ａをローラベアリング１０３の支持枠１０２に形成した切欠１０５に係合し、保持ロッド１０４の中間部を斜板１００の側面にピン１０６を介して回転自由に支持し、保持ロッド１０４のもう一端１０４ｂを斜板１００の回転中心Ｏよりも前方側にて支持部材１０１と一体のケーシング１０７の内側面又はケーシング１０７の蓋部に回転自由に支持したものである。
【０００４】
従って、レバー１０８の駆動により斜板１００を図３の実線位置から鎖線に示す方向へ回動すると、保持ロッド１０４は一端１０４ｂを固定回転支点に中間部が図の下方に向かって変位すると共に、これに伴い保持ロッド１０４のもう一端（先端）１０４ａが変位しつつ、斜板１００と同方向へ動く支持枠１０２の変位を案内する。この保持ロッド１０４の動作に伴う中間部のロッド軸方向の変位は、ピン１０６部における滑動可能回転支点により吸収される。
【０００５】
そして、これによれば、ケーシング１０７の内側面又はケーシング１０７の蓋部並びに斜板１００の側面に保持ロッド１０４を支持して、ローラベアリング１０３の支持枠１０２を保持するため、ローラベアリング１０３の背面支持部（支持部材１０１）の加工の必要がなく、ローラベアリング１０３の支持枠１０２に形成した切欠１０５に一端１０４ａを係合するため、その端部の加工の必要もなく、また保持ロッド１０４の支持部を斜板１００の側面並びにケーシング１０７の内側面又はケーシング１０７の蓋部つまり斜板１００の背面側でなく前方側に設けるため、組付けが容易になるとある。
【０００６】
【特許文献１】
特開平９−２６４２４５号公報
【０００７】
【発明が解決しようとする課題】
ところが、図３及び図４に示した軸受規制装置にあっては、斜板１００の側面に回転自由に支持されたピン１０６が、支持枠１０２を支持する保持ロッド１０４を滑動可能に貫通支持する構造であるため、ピン１０６部において機能が重複し拗れ等により作動の円滑性に難点があることから、装置の信頼性に欠けるという問題点があった。
【０００８】
そこで、本発明は、構造の簡略化により装置の信頼性を高めることができる斜板ポンプ又はモータの軸受規制装置を提供することを目的としている。
【０００９】
【課題を解決するための手段】
前記課題を解決する請求項１の発明は、回転するピストンに当接してピストンを伸縮駆動する斜板の背面部を半円筒形に形成し、この背面部の後方に相対して同形の凹面部を備えた支持部材を設け、これらの背面部と凹面部との間に転がり又はすべり軸受を挾持する構造の斜板ポンプ又はモータにおいて、前記斜板と転がり又はすべり軸受と支持部材とに亙って伸びる保持ロッドを設け、該保持ロッドの一端をロッド軸線と直角方向に折曲して前記斜板の側面に形成した嵌合穴に回転自由に嵌合し、保持ロッドの中間部を前記転がり又はすべり軸受の支持部に形成したスリットに遊嵌し、保持ロッドの他端を長手方向に偏平なリング状に屈曲してこのリング状部内にケース側に植設されて前記ロッド軸線と直角方向に突出するピンを遊嵌したことを特徴とする。
【００１０】
請求項２の発明は、前記スリットの内面は楔状か或いは円弧状に形成され、斜板の傾転角が零ではスリットと保持ロッドの間に所定の隙間を有し、斜板の傾転角の増加に伴い前記隙間が減少するように設定されていることを特徴とする。
【００１１】
請求項３の発明は、前記リング状部の大きさは、可及的に斜板の傾動方向のガタを少なくして斜板の傾転角が零から最大までピン上を自由に滑動できるように設定されていることを特徴とする。
【００１２】
【発明の実施の形態】
以下、本発明に係る斜板ポンプ又はモータの軸受規制装置を実施例により図面を用いて詳細に説明する。
【００１３】
［実施例］
図１は本発明の一実施例を示す斜板ポンプ又はモータの要部断面図で、その上半部が縦（垂直）断面図で下半部が横（水平）断面図であり、図２の（ａ）は図１の要部拡大断面図で、図２の（ｂ）は保持ロッドの説明図である。
【００１４】
図１に示すように、斜板ポンプ又はモータ１はシャフト２に支承したシリンダーブロック３を備え、前記シャフト２は当該斜板ポンプ又はモータ１がポンプとして或いはモータとして作用するかによって駆動軸或いは入力軸になる。また、シャフト２は、３部分４，５，６によってのみ代表した当該斜板ポンプ又はモータ１のケース内でベアリング７により回動可能に支持されている。
【００１５】
前記シリンダーブロック３は、斜板８上のソケット部材９に係合するピストン１０のためのシリンダーを形成するボア１１を有する。このボア１１内のピストン１０のストロークは、周知のようにシャフト２の軸に関して斜板８の上下角（傾転角）を調整することにより可変され得る。その調整は、シャフト２の軸上のリテーナボール１２を中心として例えば斜板８に固定されかつ図示しない調整装置により傾動されるレバーアーム１３により行い得る。
【００１６】
前記斜板８の背面部８ａは半円筒形に形成され、この背面部８ａの後方に相対して同形の凹面部１４ａを備えた支持部材１４が設けられ、これらの背面部８ａと凹面部１４ａとの間に弧形に湾曲する支持枠（支持部）１５に支持されたローラベアリング１６が挾持される。
【００１７】
そして、図２に示すように、前記支持枠１５の外側面に形成されたスリット１７内に前記シャフト２の軸方向に伸びる保持ロッド１８が遊嵌される。この保持ロッド１８の一端１８ａは９０°に折曲されて前記斜板８の側面に形成した嵌合穴１９に回動自由に嵌合されると共に、保持ロッド１８の他端は長手方向に偏平なリング状に屈曲されてこのリング状部１８ｂ内にケース４に植設されて前記シャフト２の軸方向と直角方向に突出するピン２０が遊嵌される。
【００１８】
また、前記スリット１７の内面は楔状か或いは円弧状（図示例では楔状）に形成され、斜板８の傾転角が零ではスリット１７と保持ロッド１８の間に所定の隙間を有し、斜板８の傾転角の増加に伴い前記隙間が減少するように設定されている。
【００１９】
また、前記リング状部１８ｂの大きさは、可及的に斜板８の傾動方向のガタを少なくして斜板８の傾転角が零から最大までピン２０上を自由に滑動できるように設定される。
【００２０】
尚、図１中２１は、ケース４に付設されて斜板８の最大傾転角を規制するストッパである。
【００２１】
このように構成されるため、レバーアーム１３の駆動により斜板８を図１の実線位置から鎖線に示す方向へ回動すると、保持ロッド１８はその一端１８ａを移動回転支点に中間部がスリット１７内を滑動変位すると共に、これに伴い保持ロッド１８のリング状部１８ｂがピン２０上を変位しつつ、斜板８と同方向へ動く支持枠１５の変位を案内する。
【００２２】
斜板８の傾転角が最大になると、保持ロッド１８のリング状部１８ｂがピン２０に係合してそれ以上の変位が不能となり、該保持ロッド１８の中間部にスリット１７を介して係合した支持枠１５もそれ以上の変位が阻止される。即ち、この支持枠１５に保持されたローラベアリング１６が、振動や衝撃によりずれたり、抜け落ちたりしないよう、斜板８と支持部材１４との間に適正に保持されるのである。
【００２３】
そして、本実施例では、前記斜板８の傾転角の増加に伴い前記スリット１７と保持ロッド１８間の隙間が減少するようになっているので、保持ロッド１８の傾転角が大きくなる場合のふれ角を小さくすることができる。
【００２４】
また、保持ロッド１８と該保持ロッド１８が関わり合う斜板８，支持枠１５，ピン２０とは単一機能でそれぞれ関わっているので、拗れ等により作動の円滑性が損なわれることがなく、装置の信頼性が高い。
【００２５】
また、従来例のピン１０６（図３参照）と保持ロッド１０４（図３参照）の関係のように、貫通部品がないので、構造が簡単になり、装置の信頼性が高いと共に組み立ても容易である。
【００２６】
尚、本発明は上記実施例に限定されず、本発明の要旨を逸脱しない範囲で各種変更が可能であることはいうまでもない。例えば、支持枠１５とローラベアリング１６とからなる転がり軸受の代わりにすべり軸受（スペーサ）を設け、このすべり軸受の一部を支持枠とみなして保持ロッド１８で案内するようにしても良い。また、支持部材１４とケース４とを一体に形成しても良い。
【００２７】
【発明の効果】
以上説明したように、請求項１の発明は、回転するピストンに当接してピストンを伸縮駆動する斜板の背面部を半円筒形に形成し、この背面部の後方に相対して同形の凹面部を備えた支持部材を設け、これらの背面部と凹面部との間に転がり又はすべり軸受を挾持する構造の斜板ポンプ又はモータにおいて、前記斜板と転がり又はすべり軸受と支持部材とに亙って伸びる保持ロッドを設け、該保持ロッドの一端をロッド軸線と直角方向に折曲して前記斜板の側面に形成した嵌合穴に回転自由に嵌合し、保持ロッドの中間部を前記転がり又はすべり軸受の支持部に形成したスリットに遊嵌し、保持ロッドの他端を長手方向に偏平なリング状に屈曲してこのリング状部内にケース側に植設されて前記ロッド軸線と直角方向に突出するピンを遊嵌したので、構造の簡略化により組付性の向上と装置の信頼性を高めることができる。
【００２８】
請求項２の発明は、前記スリットの内面は楔状か或いは円弧状に形成され、斜板の傾転角が零ではスリットと保持ロッドの間に所定の隙間を有し、斜板の傾転角の増加に伴い前記隙間が減少するように設定されているので、保持ロッドの傾転角が大きくなる場合のふれ角を小さくすることができる。
【００２９】
請求項３の発明は、前記リング状部の大きさは、可及的に斜板の傾動方向のガタを少なくして斜板の傾転角が零から最大までピン上を自由に滑動できるように設定されているので、ラフな設計で作動の円滑性を保持できる。
【図面の簡単な説明】
【図１】本発明の一実施例を示す斜板ポンプ又はモータの要部断面図で、その上半部が縦（垂直）断面図で下半部が横（水平）断面図である。
【図２】同図（ａ）は図１の要部拡大断面図で、同図（ｂ）は保持ロッドの説明図である。
【図３】従来の斜板ポンプ又はモータの要部断面図である。
【図４】図３の異なった部分斜視図である。
【符号の説明】
１  斜板ポンプ又はモータ、２  シャフト、３  シリンダーブロック、４  ケース、５  ケース、６  ケース、７  ベアリング、８  斜板、８ａ  背面部、９ソケット部材、１０  ピストン、１１  ボア、１２  リテーナボール、１３  レバーアーム、１４  支持部材、１４ａ  凹面部、１５  支持枠、１６  ローラベアリング、１７  スリット、１８  保持ロッド、１８ａ  保持ロッドの一端、１８ｂ  リング状部（保持ロッドの他端）、１９  嵌合穴、２０  ピン。
【図１】
2004183621.tif 000003
【図２】
2004183621.tif 000004
【図３】
2004183621.tif 000005
【図４】
2004183621.tif 000006